(57)【要約】【課題】ひもを締緩するための締結装置を提供する。【解決手段】外殻２００と、ひも６００の結合に用いられるボビン３００と、第１端４７１及び第２端４７２を含む少なくとも１つのラチェットアーム４７０を有し、第２端４７２が係脱方向でサイドリング歯２３０に噛み合い、且つ引き締め方向でサイドリング歯２３０から絶え間なく脱離し、第２端４７２が当接部４７３を含み、係脱方向で阻止部４９０に当接される回り止めユニット４００と、回り止めユニット４００に結合されるノブ５００と、を備える締結装置１００。これにより、構造を簡素化し締結装置の締結能力を維持する。【選択図】図２Ｂ
2019523042.tif 000002
【特許請求の範囲】
【請求項１】
ひもを締緩するための締結装置であって、
収納空間及びサイドリング歯を含む外殻と、
前記収納空間に設けられ、且つ前記ひもの結合に用いられるボビンと、
前記ボビンに選択的に結合され、且つ阻止部を含む環状本体と、前記環状本体に接続される第１端及び前記第１端に反対する第２端を含む少なくとも１つのラチェットアームと、を含有し、前記第２端が、前記係脱方向で前記阻止部に当接される当接部を含み、係脱方向で前記サイドリング歯に噛み合い、且つ前記係脱方向に反対する引き締め方向で前記サイドリング歯から絶え間なく脱離する回り止めユニットと、
前記回り止めユニットに結合されるノブと、
を備え、
前記外殻に対して前記ノブを回転させて前記回り止めユニットを第１の位置から第２の位置に切り替えるように連動させ、前記回り止めユニットは、前記第１の位置にある時に前記ボビンに結合されて前記ボビンの前記係脱方向への回転を制限し、前記第２の位置にある時に前記ボビンの前記係脱方向への回転を許容することを特徴とする締結装置。
【請求項２】
前記環状本体は径方向を有し、前記阻止部は前記径方向に沿って前記環状本体から突出することを特徴とする請求項１に記載の締結装置。
【請求項３】
前記回り止めユニットは、
前記ノブに結合されるように前記環状本体に設けられ、前記径方向に沿う復帰能力を有する第１の保持部及び第２の保持部を更に含むことを特徴とする請求項２に記載の締結装置。
【請求項４】
前記ノブは、前記第１の保持部及び前記第２の保持部にそれぞれ結合される２つのバンプを含み、前記ノブが前記回り止めユニットを前記第１の位置から前記第２の位置に切り替えるように連動させる場合、前記２つのバンプは、それぞれ前記第１の保持部及び前記第２の保持部を前記径方向に沿って変位させるように押し付けることを特徴とする請求項３に記載の締結装置。
【請求項５】
前記ノブは螺旋状レールを含み、前記回り止めユニットは前記螺旋状レールに結合されるガイド部を更に含み、
前記ノブが前記係脱方向へ回転する時に、前記ガイド部は、前記螺旋状レールによってガイドされて上がって、前記回り止めユニットが前記第２の位置に切り替わることを特徴とする請求項１に記載の締結装置。
【請求項６】
ひもを締緩するための締結装置であって、
収納空間及びサイドリング歯を含む外殻と、
前記収納空間に設けられ、且つ前記ひもの結合に用いられるボビンと、
阻止部及び少なくとも１つのラチェットアームを含み、前記ラチェットアームが、係脱方向で前記サイドリング歯に噛み合い前記阻止部に当接され、且つ前記係脱方向に反対する引き締め方向で前記サイドリング歯から絶え間なく脱離する回り止めユニットと、
前記回り止めユニットに結合されるノブと、
前記外殻に対して前記ノブを回転させて前記回り止めユニットを第１の位置から第２の位置に切り替えるように連動させ、前記回り止めユニットは前記第１の位置にある時に前記ボビンに結合されて前記ボビンの前記係脱方向への回転を制限し、前記回り止めユニットは前記第２の位置にある時に前記ボビンの前記係脱方向への回転を許容することを特徴する締結装置。
【請求項７】
前記回り止めユニットは、径方向を有する環状本体を有し、前記阻止部が前記径方向に沿って前記環状本体から突出し、前記ラチェットアームが前記環状本体に接続され、且つ前記環状本体、前記阻止部及び前記ラチェットアームが一体成形されることを特徴とする請求項６に記載の締結装置。
【請求項８】
前記回り止めユニットは、前記ノブに結合されるように前記環状本体に設けられ、且つ前記径方向に沿う復帰能力を有する第１の保持部及び第２の保持部を更に含むことを特徴とする請求項７に記載の締結装置。
【請求項９】
前記ノブは、前記第１の保持部及び前記第２の保持部にそれぞれ結合される２つのバンプを含み、前記ノブが前記回り止めユニットを前記第１の位置から前記第２の位置に切り替えるように連動させる場合、前記２つのバンプが前記第１の保持部及び前記第２の保持部を前記径方向に沿って変位させるように押し付けることを特徴とする請求項８に記載の締結装置。
【請求項１０】
前記ノブは螺旋状レールを含み、前記回り止めユニットは前記螺旋状レールに結合されるガイド部を更に含み、
前記ノブが前記係脱方向へ回転する時に、前記ガイド部は、前記螺旋状レールによってガイドされて上がって、前記回り止めユニットが前記第２の位置に切り替わることを特徴とする請求項６に記載の締結装置。
【発明の詳細な説明】
【技術分野】
【０００１】
本発明は、締結装置に関し、特に、ひもを締緩して対象物を締結する締結装置に関する。
【背景技術】
【０００２】
日常生活の中では、対象物を締め付けるために、ロープやひもがよく使用される。締め付け手段としては、例えばレースシューズのように、糸を使用して対象物における穴を往復して貫通して、結び目などで固定するものが最もよく見られる。しかし、このような締め付け方法では、外力の要素により、結び目が緩くなりやすく、結び目を改めて締め付ける必要があるだけでなく、対象物を安定的に締め付けることができないので、非常に不便になる。
【０００３】
このような課題を解決するために、簡易な締めひも構造が業界によって提供される。その締めひも構造は、ケース、回り止めユニット及びバネを含み、ケースにひもが貫通するための貫通孔を有し、バネと回り止めユニットとの間の作用力によってひもが回り止めユニットとケースとの間に挟まれて締結効果が達成され、バネを押し付けて回り止めユニット位置を変えてひもの長さを引き変えることができる。しかし、このような締めひも構造は、バネの復帰力によって締結力を提供するが、依然として震動や外部要因によってひものが緩くなりやすく、且つひもを収納する空間がないため、ひもの露出によりも危険になりやすい。
【０００４】
よって、締めひもを回転可能に締め付け固定する別の留め具が業者によって開発される。そのひもが留め具の内部に収納され、且つ内部部材の機械的干渉によってひもの長さを調整すると共に、締め付ける締め付け具合を調整することができる。しかし、このような留め具は、構造が複雑であり、製造コストが向上するとともに、組立及びメンテナンスが困難であるという問題がある。
【０００５】
従って、業者は、構造を簡素化する前提で、留め具の締結能力を保持するように、絶え間なく留め具の内部の構造に調整や改良を加えている。これに鑑みて、如何に留め具構造を簡素化し及び留め具の締結能力を保持するかは、当業者にとって努力する目標となる。
【発明の概要】
【発明が解決しようとする課題】
【０００６】
本発明の目的は、回り止めユニットの構造配置によって、構造を簡素化する前提で、締結装置の締結能力を維持することができる締結装置を提供することにある。
【課題を解決するための手段】
【０００７】
本発明の一実施例によれば、ひもを締緩するための締結装置であって、収納空間及びサイドリング歯を含む外殻と、収納空間に設けられ且つひもの結合に用いられるボビンと、ボビンに選択的に結合され、且つ阻止部を含む環状本体と、環状本体に接続される第１端及び第１端に反対する第２端を含む少なくとも１つのラチェットアームと、を含有し、第２端が係脱方向で阻止部に当接される当接部を含み、係脱方向でサイドリング歯に噛み合い、且つ係脱方向に反対する引き締め方向でサイドリング歯から絶え間なく脱離する回り止めユニットと、回り止めユニットに結合されるノブと、を備え、ケースに対してノブを回転させて回り止めユニットを第１の位置から第２の位置に切り替えるように連動させ、回り止めユニットは、第１の位置にある時にボビンに結合されてボビンの係脱方向への回転を制限し、第２の位置にある時にボビンの係脱方向への回転を許容する締結装置を提供する。
【０００８】
これにより、ラチェットアームと阻止部との当接関係によって、ラチェットアームが力を受けて破壊されることを避け、長寿命化させ及び締結装置の締結能力を維持するとともに、構造を簡素化する目的を達成することができる。
【０００９】
前記の締結装置によれば、環状本体は径方向を有してよく、阻止部は径方向に沿って環状本体から突出してよい。回り止めユニットは、ノブに結合されるように環状本体に設けられ、径方向に沿う復帰能力を有する第１の保持部及び第２の保持部を更に含んでもよい。ノブは、第１の保持部及び第２の保持部にそれぞれ結合される２つのバンプを含み、ノブが回り止めユニットを第１の位置から第２の位置に切り替えるように連動させる場合、バンプは、第１の保持部及び第２の保持部を径方向に沿って変位させるように押し付ける。なお、ノブは螺旋状レールを含んでもよく、回り止めユニットはガイド部に結合される螺旋状レールを更に含み、ノブが係脱方向へ回転する時に、ガイド部が螺旋状レールによってガイドされて上がって、回り止めユニットが第２の位置に切り替わる。
【００１０】
本発明の別の実施例によれば、ひもを締緩するための締結装置であって、収納空間及びサイドリング歯を含む外殻と、収納空間に設けられ、且つひもの結合に用いられるボビンと、阻止部及び少なくとも１つのラチェットアームを含み、ラチェットアームが係脱方向でサイドリング歯に噛み合うように阻止部に当接され、且つ係脱方向に反対する引き締め方向でサイドリング歯から絶え間なく脱離する回り止めユニットと、回り止めユニットに結合され、外殻に対してノブを回転させて回り止めユニットを第１の位置から第２の位置に切り替えるように連動させ、回り止めユニットは第１の位置にある時にボビンに結合されてボビンの係脱方向への回転を制限し、第２の位置にある時にボビンの係脱方向への回転を許容するノブと、を備える締結装置を提供する。
【００１１】
前記の締結装置によれば、回り止めユニットは、環状本体を含んでよく、環状本体が径方向を有し、阻止部が径方向に沿って環状本体から突出し、ラチェットアームが環状本体に接続され、且つ環状本体、阻止部及びラチェットアームが一体成形される。回り止めユニットは、ノブに結合されるように環状本体に設けられ、且つ径方向に沿う復帰能力を有する第１の保持部及び第２の保持部を更に含んでよい。ノブは、第１の保持部及び第２の保持部にそれぞれ結合される２つのバンプを含み、ノブが回り止めユニットを第１の位置から第２の位置に切り替えるように連動させる場合、バンプが第１の保持部及び第２の保持部を径方向に沿って変位させるように押し付ける。なお、ノブは螺旋状レールを含み、回り止めユニットはガイド部を更に含み、螺旋状レールに結合され、ノブが係脱方向へ回転する時に、ガイド部が螺旋状レールによってガイドされて上がって、回り止めユニットが第２の位置に切り替わる。
【００１２】
本発明の提供した締結装置は、従来の技術と比べると、回り止めユニットの構造配置によって、構造を簡素化する前提で、締結装置の締結能力を支持する有益な効果を有する。
【図面の簡単な説明】
【００１３】
【図１】本発明の一実施形態による締結装置を示す斜視模式図である。
【図２Ａ】図１による締結装置のある視角を示す分解模式図である。
【図２Ｂ】図１による締結装置の別の視角を示す分解模式図である。
【図３Ａ】図１による締結装置のひも取付過程を示す模式図である。
【図３Ｂ】図１による締結装置のひも取付過程を示す模式図である。
【図３Ｃ】図１による締結装置のひも取付過程を示す模式図である。
【図４Ａ】図１による締結装置の切断線４−４に沿う断面模式図である。
【図４Ｂ】図１による締結装置の切断線４−４に沿う別の断面模式図である。
【図５Ａ】図１による締結装置の切断線５−５に沿う断面模式図である。
【図５Ｂ】図１による締結装置の切断線５−５に沿う別の断面模式図である。
【図６Ａ】図４Ａによる締結装置の切断線６−６に沿う断面模式図である。
【図６Ｂ】図４Ａによる締結装置の切断線６−６に沿う別の断面模式図である。
【図７】本発明の別の実施形態による締結装置を示す斜視模式図である。
【図８Ａ】図７による締結装置のある視角を示す分解模式図である。
【図８Ｂ】図７による締結装置の別の視角を示す分解模式図である。
【発明を実施するための形態】
【００１４】
以下、図面で本発明の実施形態を説明する。明らかに説明するために、数多くの実際の細部を以下の説明で併せて説明する。しかしながら、これらの実際の細部は本発明を制限するためのものではないことが理解すべきである。つまり、本発明の一部の実施例において、これらの実際の細部はが必要なものではない。そのほか、図面を簡略化するために、ある従来慣用の構造と素子を図面において簡単に模式的に示す。また、同一の素子は同一の番号で示すことがある。
【００１５】
図１、図２Ａ及び図２Ｂを参照されたい。図１は、本発明の一実施形態による締結装置１００を示す斜視模式図である。図２Ａは、図１による締結装置１００のある視角を示す分解模式図である。図２Ｂは、図１による締結装置１００の別の視角を示す分解模式図である。
【００１６】
締結装置１００は、ひも６００を締緩することに用いられ、且つ外殻２００と、ボビン３００と、回り止めユニット４００と、ノブ５００と、を備える。外殻２００は、収納空間２１０及びサイドリング歯２３０を含む。ボビン３００は、収納空間２１０に設けられ、且つひも６００の結合に用いられる。回り止めユニット４００は、阻止部４９０及び少なくとも１つのラチェットアーム４７０を含み、ラチェットアーム４７０が係脱方向Ａ１でサイドリング歯２３０に噛み合うように阻止部４９０に当接され、且つ係脱方向Ａ１に反対する引き締め方向Ａ２でサイドリング歯２３０から絶え間なく脱離する。ノブ５００は、回り止めユニット４００に結合される。外殻２００に対してノブ５００を回転させて回り止めユニット４００を第１の位置から第２の位置に切り替えるように連動させ、回り止めユニット４００が第１の位置にある時にボビン３００に結合されてボビン３００の係脱方向Ａ１への回転を制限し、回り止めユニット４００が第２の位置にある時にボビン３００の係脱方向Ａ１への回転を許容する。
【００１７】
これにより、ラチェットアーム４７０と阻止部４９０との当接関係によって、ラチェットアーム４７０が力を受けて破壊されることを避け、長寿命化させ及び締結装置１００の締結能力を維持することができる。後で締結装置１００の細部構造及び作動形態を詳しく説明する。
【００１８】
外殻２００は、シェル構造であり、ケース２６０と、係合部２５０と、を含む。ケース２６０は、収納空間２１０、サイドリング歯２３０、２つのサイドホール２２０及び下開口２４０を含む。サイドリング歯２３０は、収納空間２１０に向かう。２つのサイドホール２２０及び下開口２４０の何れも収納空間２１０と連通する。係合部２５０はケース２６０から外へ環状となるように突出する。本実施例において、下開口２４０の開口径がボビン３００の直径より小さいので、ボビン３００がケース２６０の収納空間２１０に置かれると、下開口２４０から落ちることはない。
【００１９】
ボビン３００は、ディスク構造になり、軸心柱３２０及びシート部３１０を含む。軸心柱３２０は、第１の開口３２１及び第２の開口３２２を含む。シート部３１０は、軸心柱３２０の設置に用いられ、第１の線結び孔３１１、第１の通り抜き孔３１２、第２の線結び孔３１３及び第２の通り抜き孔３１４を含有し、第１の線結び孔３１１及び第１の通り抜き孔３１２が第１の開口３２１と繋がり、第２の線結び孔３１３及び第２の通り抜き孔３１４が第２の開口３２２と繋がる。ひも６００は、両端が第１の開口３２１及び第２の開口３２２を通り抜いてボビン３００に結合され、且つ軸心柱３２０に巻回される。なお、ボビン３００は、回り止めユニット４００に結合されるための複数の噛合歯３３０を更に含む。
【００２０】
回り止めユニット４００は、ラチェットアーム４７０及び阻止部４９０に加え、環状本体４８０、第１の保持部４１０、第２の保持部４２０、３つのガイド部４３０、４つのストッパー部４４１、４４２、４４３、４４４、連通孔４５０及び複数の係合歯４６０を更に含む。本実施例において、ラチェットアーム４７０の数は３つであり、阻止部４９０の数もラチェットアーム４７０に対応して３つであるが、これに限定されない。
【００２１】
環状本体４８０は、径方向を有する。第１の保持部４１０及び第２の保持部４２０は、ノブ５００に結合されるように環状本体４８０に設けられる。ガイド部４３０は、環状本体４８０から径方向に沿って外へ突出する斜歯構造であり、且つノブ５００に結合されることに用いられる。各ラチェットアーム４７０は、環状本体４８０に設けられ、且つ第１端４７１及び第２端４７２を含み、第１端４７１が環状本体４８０に接続され、第２端４７２が第１端４７１に反対し係脱方向Ａ１でサイドリング歯２３０に噛み合い且つ引き締め方向Ａ２に反対する方向でサイドリング歯２３０から絶え間なく脱離する。第２端４７２は、係脱方向Ａ１で阻止部４９０に当接される当接部４７３を含む。当接部４７３は、ラチェットアーム４７０本体からボビン３００の方向へ突出する。
【００２２】
第１の保持部４１０及び第２の保持部４２０は、径方向に沿って環状本体４８０から内へ突出し、つまり環状本体４８０の中心へ突出する。係合歯４６０は、連通孔４５０のボビン３００に近い側の孔壁に設けられる。４つのストッパー部４４１、４４２、４４３、４４４は、連通孔４５０のノブ５００に近い側の孔壁から環状本体４８０の中心へ径方向に沿って突出してなり、且つストッパー部４４１、４４３の位置が対応し、ストッパー部４４２、４４４の位置が対応する。
【００２３】
第１の保持部４１０及び第２の保持部４２０は、径方向に沿って変位し且つ復帰能力を有してよく、より詳しく、第１の保持部４１０が第１の自由端４１１を有し、第２の保持部４２０が第２の自由端４２１を有し、第１の自由端４１１及び第２の自由端４２１の受ける外力による圧迫がその耐えられる力よりも大きい場合、径方向に沿う移動変位が発生し、外力が解除される場合第１の自由端４１１及び第２の自由端４２１が復帰する。
【００２４】
ノブ５００は、係止部５４０、ピラー５１０、２つのバンプ５２１、５２２（図２Ｂを参照）及び螺旋状レール５３０を含む。ピラー５１０は、回り止めユニット４００へ突出する。２つのバンプ５２１、５２２は、位置が互いに対称であるように、径方向にピラー５１０に設けられる。ピラー５１０及びバンプ５２１、５２２は、組立時に連通孔４５０内に入る。回り止めユニット４００が第１の位置に位置する場合、バンプ５２１と第１の保持部４１０とが互いに当接し、バンプ５２２と第２の保持部４２０とが互いに当接する。螺旋状レール５３０は、ガイド部４３０に結合されるように、ノブ５００の内壁（未図示）に設けられる。係止部５４０も、係合部２５０に対応して凹溝状になるように、内壁に設けられる。
【００２５】
図３Ａ〜図３Ｃを参照されたい。図３Ａ〜図３Ｃは、図１による締結装置１００のひも６００の取付過程を示す模式図である。締結装置１００は、取付時に、まずボビン３００を外殻２００内に置き、及び回り止めユニット４００とノブ５００とを結合した後で、ノブ５００を外殻２００にカバーし、力を与えてノブ５００における係止部５４０と外殻２００における係合部２５０とを噛み合わせると、締結装置１００の組立を完成することができる。
【００２６】
ひも６００をボビン３００に結合しようとする時に、図３Ａに示すように、ひも６００の一端（未図示）を１つのサイドホール２２０、第２の開口３２２、第２の線結び孔３１３及び第２の通り抜き孔３１４を貫通させ、最後、ひも６００の前記端を下開口２４０から露出させてよい。図３Ｂに示すように、この場合、使用者（未図示）は、下開口２４０から露出するひも６００を１つの線結び６１０及び１つの糸口（未図示）を結び、次に、図３Ｃに示すように、第２の開口３２２の側からひも６００を引くと、線結び６１０が第２の線結び孔３１３に引かれて第２の線結び孔３１３内に位置制限され、糸口が第２の通り抜き孔３１４に残り、下開口２４０から露出しない。
【００２７】
類似的に、ひも６００の他端（つまり前記端に反対する他端）についても、別のサイドホール２２０、第１の開口３２１、第１の線結び孔３１１及び第１の通り抜き孔３１２を貫通して、下開口２４０から露出し、また使用者によって下開口２４０から露出するひも６００を別の線結び及び別の糸口（未図示）となるように結び、最後、この別の線結びが第１の線結び孔３１１内に位置制限され、この別の糸口が第１の通り抜き孔３１２に残る。
【００２８】
図４Ａ及び図４Ｂに加え、図２Ａ及び図２Ｂを共に参照されたい。図４Ａは、図１による締結装置１００の切断線４−４に沿う断面模式図である。図４Ｂは、図１による締結装置１００の切断線４−４に沿う別の断面模式図である。
【００２９】
図４Ａに示すように、ガイド部４３０（図２Ｂを参照）は、螺旋状レール５３０（図２Ａを参照）内で位置制限されて移動されることができ、つまり、ノブ５００が回り止めユニット４００に対して回転する場合、ガイド部４３０が螺旋状レール５３０に沿って回転するので、回り止めユニット４００はノブ５００に対して上がり又は下がる。図３Ａに示すように、回り止めユニット４００が第１の位置にあり、この時にラチェットアーム４７０（図２Ｂを参照）とサイドリング歯２３０（図２Ｂを参照）が対応し、且つ係合歯４６０（図２Ａを参照）が噛合歯３３０（図２Ｂを参照）に噛合い、ラチェットアーム４７０の構造関係によって、引き締め方向Ａ２（図２Ｂを参照）でサイドリング歯２３０と絶え間なく係脱し係脱方向Ａ１（図２Ｂを参照）でサイドリング歯２３０に噛合うため、引き締め方向Ａ２へノブ５００を回転させて回り止めユニット４００がボビン３００を連動するように連動して、ひも６００が巻き取り、且つノブ５００の回転が中止する場合、ラチェットアーム４７０とサイドリング歯２３０が噛合ってボビン３００の係脱方向Ａ１への回転を制限して、締結作用を達成する。
【００３０】
図４Ｂに示すように、ノブ５００が係脱方向Ａ１へ回転しガイド部４３０を移動させるように連動して回り止めユニット４００が第２の位置に位置する場合、ラチェットアーム４７０がサイドリング歯２３０から脱離し、この時にラチェットアーム４７０がサイドリング歯２３０に噛合わないため、ボビン３００の係脱方向Ａ１への回転を制限しなく、ひも６００を直接引くことで緩み効果を達成する。本実施例において、回り止めユニット４００が第２の位置にある時に係合歯４６０は噛合歯３３０から脱離して回り止めユニット４００とボビン３００とを結合させないが、他の実施例において、係合歯４６０と噛合歯３３０は脱離しなくてもよく、ラチェットアーム４７０とサイドリング歯２３０だけが脱離すればよく、又はラチェットアーム４７０とサイドリング歯２３０は脱離しなくてもよく、係合歯４６０と噛合歯３３０だけが脱離すればよいが、これに限定されない。
【００３１】
図５Ａ及び図５Ｂを参照されたい。図５Ａは、図１による締結装置１００の切断線５−５に沿う断面模式図である。図５Ｂは、図１による締結装置１００の切断線５−５に沿う別の断面模式図である。
【００３２】
図５Ａに示すように、この時に、回り止めユニット４００が第１の位置にある時に、バンプ５２１と第１の保持部４１０及びストッパー部４４１は互いに当接し、バンプ５２２と第２の保持部４２０及びストッパー部４４３は互いに当接するため、ノブ５００（図２Ａを参照）と回り止めユニット４００とを係合させ、従って、回り止めユニット４００が引き締め方向Ａ２へ回転する場合、バンプ５２１がストッパー部４４１に、バンプ５２２がストッパー部４４３に力を与えて、回り止めユニット４００回転を連動する。逆に、ノブ５００の回転が中止する場合、第１の保持部４１０及び第２の保持部４２０の構造配置がバンプ５２１、バンプ５２２に当接されてノブ５００と回り止めユニット４００との相対位置関係を固定するため、ノブ５００と回り止めユニット４００の位置が外力（使用者に与えられた力ではなく、使用時の環境中の震動による外力を指す。）要因のために任意に移動されてひも６００の係脱を引き起こすことを避ける。
【００３３】
ノブ５００が係脱方向Ａ１へ回転する場合、ラチェットアーム４７０とサイドリング歯２３０が噛合うため、回り止めユニット４００が回転できなく、従って、バンプ５２１が力を受けて第１の保持部４１０の第１の自由端４１１を絶え間なく押し付け、バンプ５２２が力を受けて第２の保持部４２０第２の自由端４２１を絶え間なく押し付けて、第１の自由端４１１及び第２の自由端４２１が圧力に耐えられなく径方向へ移動し変位することとなり、図５Ｂに示すように、この時にノブ５００が回り止めユニット４００に対して回転できて、バンプ５２１がストッパー部４４４と当接され及びバンプ５２２がストッパー部４４２と当接され、第１の自由端４１１及び第２の自由端４２１が外力の失いにより復帰する。従って、ノブ５００が回り止めユニット４００に対して回転する場合、ガイド部４３０が螺旋状レール５３０の間に移動し、回り止めユニット４００を第１の位置から第２の位置へ切り替えるように連動させる。
【００３４】
なお、ノブ５００を再び引き締め方向Ａ２へ回転させる場合、この時にバンプ５２１がまず第１の自由端４１１に接触し第１の自由端４１１に力を与え、バンプ５２２がまず第２の自由端４２１に接触し第２の自由端４２１に力を与え、この時の回り止めユニット４００が第１の位置と第２の位置との間に下がるため、ラチェットアーム４７０が既にサイドリング歯２３０と対応し、ラチェットアーム４７０とサイドリング歯２３０との間が、引き締め方向Ａ２上で互いに脱離するが、ラチェットアーム４７０がまず径方向に沿って移動し変位する必要がある。従って、構造配置で第１の自由端４１１及び第２の自由端４２１を径方向に沿って変位して回り止めユニット４００を第１の位置に切り替える。
【００３５】
他の実施例において、第１の保持部４１０及び第２の保持部４２０の構造は、他の形態であってもよく、且つ保持部がノブに結合されることに加え、ベースに結合されてもよく、自由に上がり又は下がらないようにするために、かなりの外力で回り止めユニットとノブとの相対位置を維持することができればよく、保持部及び係合部の数も上記の開示内容に限定されない。
【００３６】
図６Ａ及び図６Ｂを参照されたい。図６Ａは、図１による締結装置１００の切断線６−６に沿う断面模式図である。図６Ｂは、図１による締結装置１００の切断線６−６に沿う別の断面模式図である。図６Ａに示すように、ノブ５００が引き締め方向Ａ２へ回転する場合、ラチェットアーム４７０は絶え間なくサイドリング歯２３０から脱離し、この時に阻止部４９０からの影響を受けなく、逆に、図６Ｂに示すように、ひも６００が締め付けられると係脱方向Ａ１への張力が生じ、この時にラチェットアーム４７０の構造関係によってサイドリング歯２３０に噛合い、同時に当接部４７３が阻止部４９０に当接され、張力が大きすぎる時に、阻止部４９０はラチェットアーム４７０の過度の曲がりを避け、更にラチェットアーム４７０の破壊を防止する効果を達成できる。
【００３７】
図７、図８Ａ及び図８Ｂを参照されたい。図７は、本発明の別の実施形態による締結装置１００ａを示す斜視模式図である。図８Ａは、図７による締結装置１００ａのある視角を示す分解模式図である。図８Ｂは、図７による締結装置１００ａの別の視角を示す分解模式図である。
【００３８】
締結装置１００ａは、ひも（未図示）を締緩することに用いられ、且つ外殻２００ａ、ボビン３００ａ、ノブ５００ａ及び回り止めユニット４００ａからなる。外殻２００ａ、ボビン３００ａ、ノブ５００ａ及び回り止めユニット４００ａの構造及び位置動作関係は、おおよそ図１〜図６Ｂに記載の外殻２００、ボビン３００、ノブ５００及び回り止めユニット４００と類似であるが、ボビン３００ａの第１の開口３２１ａ、第２の開口３２２ａ、第１の線結び孔３１１ａ、第１の通り抜き孔３１２ａ、第２の線結び孔３１３ａ及び第２の通り抜き孔３１４ａの位置関係と第１の開口３２１、及び第２の開口３２２、第１の線結び孔３１１、第１の通り抜き孔３１２、第２の線結び孔３１３及び第２の通り抜き孔３１４との配列形態ことに、異なっている。より詳しくは、本実施例におけるひもは、ボビン３００ａに結合される時に、夾角６０度となるように結合されるが、図１に示す実施例では、夾角１８０度となるように結合される。
【００３９】
なお、本実施例において、外殻２００ａは、ケース２６０ａに加え、ベース２７０ａを更に含み、ひもが図３Ａ〜図３Ｂの組立形態のようにボビン３００ａに結合されてから、ベース２７０ａとケース２６０ａとを結合させ、更に保護作用を達成することができる。
【００４０】
上記の実施形態から分かるように、本発明は以下のメリットがある。
【００４１】
一、回り止めユニットにおける阻止部及びラチェットアームの構造配置によって、ラチェットアームが過度に力を受けて破壊されることを避け、締結能力を向上させることに加え、更に締結装置を長寿命化させることができる。
【００４２】
二、ケース下開口及びボビンの構造配置によって、締結装置が取り付けられた後ひもをボビンに結合させるようにし、製造をより簡単にすることに加え、更に使用者がひもを対象物に貫通させてから締結装置に結合させることを可能にし、使用の利便性を向上させる。
【００４３】
三、ガイド部及び螺旋状レールの設置と結合によって、回り止めユニットがノブの回転に伴い位置を変え、更に引き締め又は緩み状態を切り替えるようにすることができる。
【００４４】
四、第１の保持部、第２の保持部の設置によって、回り止めユニットが第１の位置又は第２の位置にある時にそのノブとの間の相対位置関係を維持し、環境外力によるひも係脱を避けることができる。
【００４５】
本発明の実施形態を前記の通りに開示したが、これは、本発明を限定するものではなく、当業者であれば、本発明の精神と範囲から逸脱しない限り、多様の変更や修飾を加えてもよく、従って、本発明の保護範囲は、後の特許請求の範囲で指定した内容を基準とするものである。
【図１】
2019523042.tif 000003
【図２Ａ】
2019523042.tif 000004
【図２Ｂ】
2019523042.tif 000005
【図３Ａ】
2019523042.tif 000006
【図３Ｂ】
2019523042.tif 000007
【図３Ｃ】
2019523042.tif 000008
【図４Ａ】
2019523042.tif 000009
【図４Ｂ】
2019523042.tif 000010
【図５Ａ】
2019523042.tif 000011
【図５Ｂ】
2019523042.tif 000012
【図６Ａ】
2019523042.tif 000013
【図６Ｂ】
2019523042.tif 000014
【図７】
2019523042.tif 000015
【図８Ａ】
2019523042.tif 000016
【図８Ｂ】
2019523042.tif 000017
【手続補正書】
【提出日】平成30年12月27日(2018.12.27)
【手続補正１】
【補正対象書類名】明細書
【補正対象項目名】全文
【補正方法】変更
【補正の内容】
【発明の詳細な説明】
【技術分野】
【０００１】
本発明は、締結装置に関し、特に、ひもを締緩して対象物を締結する締結装置に関する。
【背景技術】
【０００２】
日常生活の中では、対象物を締め付けるために、ロープやひもがよく使用される。締め付け手段としては、例えばレースシューズのように、糸を使用して対象物における穴を往復して貫通して、結び目などで固定するものが最もよく見られる。しかし、このような締め付け方法では、外力の要素により、結び目が緩くなりやすく、結び目を改めて締め付ける必要があるだけでなく、対象物を安定的に締め付けることができないので、非常に不便になる。
【０００３】
このような課題を解決するために、簡易な締めひも構造が業界によって提供される。その締めひも構造は、ケース、回り止めユニット及びバネを含み、ケースにひもが貫通するための貫通孔を有し、バネと回り止めユニットとの間の作用力によってひもが回り止めユニットとケースとの間に挟まれて締結効果が達成され、バネを押し付けて回り止めユニット位置を変えてひもの長さを引き変えることができる。しかし、このような締めひも構造は、バネの復帰力によって締結力を提供するが、依然として震動や外部要因によってひものが緩くなりやすく、且つひもを収納する空間がないため、ひもの露出によりも危険になりやすい。
【０００４】
よって、締めひもを回転可能に締め付け固定する別の留め具が業者によって開発される。そのひもが留め具の内部に収納され、且つ内部部材の機械的干渉によってひもの長さを調整すると共に、締め付ける締め付け具合を調整することができる。しかし、このような留め具は、構造が複雑であり、製造コストが向上するとともに、組立及びメンテナンスが困難であるという問題がある。
【０００５】
従って、業者は、構造を簡素化する前提で、留め具の締結能力を保持するように、絶え間なく留め具の内部の構造に調整や改良を加えている。これに鑑みて、如何に留め具構造を簡素化し及び留め具の締結能力を保持するかは、当業者にとって努力する目標となる。
【発明の概要】
【発明が解決しようとする課題】
【０００６】
本発明の目的は、回り止めユニットの構造配置によって、構造を簡素化する前提で、締結装置の締結能力を維持することができる締結装置を提供することにある。
【課題を解決するための手段】
【０００７】
本発明の一実施例によれば、ひもを締緩するための締結装置であって、収納空間及びサイドリング歯を含む外殻と、収納空間に設けられ且つひもの結合に用いられるボビンと、ボビンに選択的に結合され、且つ阻止部を含む環状本体と、環状本体に接続される第１端及び第１端に反対する第２端を含む少なくとも１つのラチェットアームと、を含有し、第２端が係脱方向で阻止部に当接される当接部を含み、係脱方向でサイドリング歯に噛み合い、且つ係脱方向に反対する引き締め方向でサイドリング歯から絶え間なく脱離する回り止めユニットと、回り止めユニットに結合されるノブと、を備え、ケースに対してノブを回転させて回り止めユニットを第１の位置から第２の位置に切り替えるように連動させ、回り止めユニットは、第１の位置にある時にボビンに結合されてボビンの係脱方向への回転を制限し、第２の位置にある時にボビンの係脱方向への回転を許容する締結装置を提供する。
【０００８】
これにより、ラチェットアームと阻止部との当接関係によって、ラチェットアームが力を受けて破壊されることを避け、長寿命化させ及び締結装置の締結能力を維持するとともに、構造を簡素化する目的を達成することができる。
【０００９】
前記の締結装置によれば、環状本体は径方向を有してよく、阻止部は径方向に沿って環状本体から突出してよい。回り止めユニットは、ノブに結合されるように環状本体に設けられ、径方向に沿う復帰能力を有する第１の保持部及び第２の保持部を更に含んでもよい。ノブは、第１の保持部及び第２の保持部にそれぞれ結合される２つのバンプを含み、ノブが回り止めユニットを第１の位置から第２の位置に切り替えるように連動させる場合、バンプは、第１の保持部及び第２の保持部を径方向に沿って変位させるように押し付ける。なお、ノブは螺旋状レールを含んでもよく、回り止めユニットはガイド部に結合される螺旋状レールを更に含み、ノブが係脱方向へ回転する時に、ガイド部が螺旋状レールによってガイドされて上がって、回り止めユニットが第２の位置に切り替わる。
【００１０】
本発明の別の実施例によれば、ひもを締緩するための締結装置であって、収納空間及びサイドリング歯を含む外殻と、収納空間に設けられ、且つひもの結合に用いられるボビンと、阻止部及び少なくとも１つのラチェットアームを含み、ラチェットアームが係脱方向でサイドリング歯に噛み合うように阻止部に当接され、且つ係脱方向に反対する引き締め方向でサイドリング歯から絶え間なく脱離する回り止めユニットと、回り止めユニットに結合され、外殻に対してノブを回転させて回り止めユニットを第１の位置から第２の位置に切り替えるように連動させ、回り止めユニットは第１の位置にある時にボビンに結合されてボビンの係脱方向への回転を制限し、第２の位置にある時にボビンの係脱方向への回転を許容するノブと、を備える締結装置を提供する。
【００１１】
前記の締結装置によれば、回り止めユニットは、環状本体を含んでよく、環状本体が径方向を有し、阻止部が径方向に沿って環状本体から突出し、ラチェットアームが環状本体に接続され、且つ環状本体、阻止部及びラチェットアームが一体成形される。回り止めユニットは、ノブに結合されるように環状本体に設けられ、且つ径方向に沿う復帰能力を有する第１の保持部及び第２の保持部を更に含んでよい。ノブは、第１の保持部及び第２の保持部にそれぞれ結合される２つのバンプを含み、ノブが回り止めユニットを第１の位置から第２の位置に切り替えるように連動させる場合、バンプが第１の保持部及び第２の保持部を径方向に沿って変位させるように押し付ける。なお、ノブは螺旋状レールを含み、回り止めユニットはガイド部を更に含み、螺旋状レールに結合され、ノブが係脱方向へ回転する時に、ガイド部が螺旋状レールによってガイドされて上がって、回り止めユニットが第２の位置に切り替わる。
【００１２】
本発明の提供した締結装置は、従来の技術と比べると、回り止めユニットの構造配置によって、構造を簡素化する前提で、締結装置の締結能力を支持する有益な効果を有する。
【図面の簡単な説明】
【００１３】
【図１】本発明の一実施形態による締結装置を示す斜視模式図である。
【図２Ａ】図１による締結装置のある視角を示す分解模式図である。
【図２Ｂ】図１による締結装置の別の視角を示す分解模式図である。
【図３Ａ】図１による締結装置のひも取付過程を示す模式図である。
【図３Ｂ】図１による締結装置のひも取付過程を示す模式図である。
【図３Ｃ】図１による締結装置のひも取付過程を示す模式図である。
【図４Ａ】図１による締結装置の切断線４−４に沿う断面模式図である。
【図４Ｂ】図１による締結装置の切断線４−４に沿う別の断面模式図である。
【図５Ａ】図１による締結装置の切断線５−５に沿う断面模式図である。
【図５Ｂ】図１による締結装置の切断線５−５に沿う別の断面模式図である。
【図６Ａ】図４Ａによる締結装置の切断線６−６に沿う断面模式図である。
【図６Ｂ】図４Ａによる締結装置の切断線６−６に沿う別の断面模式図である。
【図７】本発明の別の実施形態による締結装置を示す斜視模式図である。
【図８Ａ】図７による締結装置のある視角を示す分解模式図である。
【図８Ｂ】図７による締結装置の別の視角を示す分解模式図である。
【発明を実施するための形態】
【００１４】
以下、図面で本発明の実施形態を説明する。明らかに説明するために、数多くの実際の細部を以下の説明で併せて説明する。しかしながら、これらの実際の細部は本発明を制限するためのものではないことが理解すべきである。つまり、本発明の一部の実施例において、これらの実際の細部はが必要なものではない。そのほか、図面を簡略化するために、ある従来慣用の構造と素子を図面において簡単に模式的に示す。また、同一の素子は同一の番号で示すことがある。
【００１５】
図１、図２Ａ及び図２Ｂを参照されたい。図１は、本発明の一実施形態による締結装置１００を示す斜視模式図である。図２Ａは、図１による締結装置１００のある視角を示す分解模式図である。図２Ｂは、図１による締結装置１００の別の視角を示す分解模式図である。
【００１６】
締結装置１００は、ひも６００を締緩することに用いられ、且つ外殻２００と、ボビン３００と、回り止めユニット４００と、ノブ５００と、を備える。外殻２００は、収納空間２１０及びサイドリング歯２３０を含む。ボビン３００は、収納空間２１０に設けられ、且つひも６００の結合に用いられる。回り止めユニット４００は、阻止部４９０及び少なくとも１つのラチェットアーム４７０を含み、ラチェットアーム４７０が係脱方向Ａ１でサイドリング歯２３０に噛み合うように阻止部４９０に当接され、且つ係脱方向Ａ１に反対する引き締め方向Ａ２でサイドリング歯２３０から絶え間なく脱離する。ノブ５００は、回り止めユニット４００に結合される。外殻２００に対してノブ５００を回転させて回り止めユニット４００を第１の位置から第２の位置に切り替えるように連動させ、回り止めユニット４００が第１の位置にある時にボビン３００に結合されてボビン３００の係脱方向Ａ１への回転を制限し、回り止めユニット４００が第２の位置にある時にボビン３００の係脱方向Ａ１への回転を許容する。
【００１７】
これにより、ラチェットアーム４７０と阻止部４９０との当接関係によって、ラチェットアーム４７０が力を受けて破壊されることを避け、長寿命化させ及び締結装置１００の締結能力を維持することができる。後で締結装置１００の細部構造及び作動形態を詳しく説明する。
【００１８】
外殻２００は、シェル構造であり、ケース２６０と、係合部２５０と、を含む。ケース２６０は、収納空間２１０、サイドリング歯２３０、２つのサイドホール２２０及び下開口２４０を含む。サイドリング歯２３０は、収納空間２１０に向かう。２つのサイドホール２２０及び下開口２４０の何れも収納空間２１０と連通する。係合部２５０はケース２６０から外へ環状となるように突出する。本実施例において、下開口２４０の開口径がボビン３００の直径より小さいので、ボビン３００がケース２６０の収納空間２１０に置かれると、下開口２４０から落ちることはない。
【００１９】
ボビン３００は、ディスク構造になり、軸心柱３２０及びシート部３１０を含む。軸心柱３２０は、第１の開口３２１及び第２の開口３２２を含む。シート部３１０は、軸心柱３２０の設置に用いられ、第１の線結び孔３１１、第１の通り抜き孔３１２、第２の線結び孔３１３及び第２の通り抜き孔３１４を含有し、第１の線結び孔３１１及び第１の通り抜き孔３１２が第１の開口３２１と繋がり、第２の線結び孔３１３及び第２の通り抜き孔３１４が第２の開口３２２と繋がる。ひも６００は、両端が第１の開口３２１及び第２の開口３２２を通り抜いてボビン３００に結合され、且つ軸心柱３２０に巻回される。なお、ボビン３００は、回り止めユニット４００に結合されるための複数の噛合歯３３０を更に含む。
【００２０】
回り止めユニット４００は、ラチェットアーム４７０及び阻止部４９０に加え、環状本体４８０、第１の保持部４１０、第２の保持部４２０、３つのガイド部４３０、４つのストッパー部４４１、４４２、４４３、４４４、連通孔４５０及び複数の係合歯４６０を更に含む。本実施例において、ラチェットアーム４７０の数は３つであり、阻止部４９０の数もラチェットアーム４７０に対応して３つであるが、これに限定されない。
【００２１】
環状本体４８０は、径方向を有する。第１の保持部４１０及び第２の保持部４２０は、ノブ５００に結合されるように環状本体４８０に設けられる。ガイド部４３０は、環状本体４８０から径方向に沿って外へ突出する斜歯構造であり、且つノブ５００に結合されることに用いられる。各ラチェットアーム４７０は、環状本体４８０に設けられ、且つ第１端４７１及び第２端４７２を含み、第１端４７１が環状本体４８０に接続され、第２端４７２が第１端４７１に反対し係脱方向Ａ１でサイドリング歯２３０に噛み合い且つ引き締め方向Ａ２に反対する方向でサイドリング歯２３０から絶え間なく脱離する。第２端４７２は、係脱方向Ａ１で阻止部４９０に当接される当接部４７３を含む。当接部４７３は、ラチェットアーム４７０本体からボビン３００の方向へ突出する。
【００２２】
第１の保持部４１０及び第２の保持部４２０は、径方向に沿って環状本体４８０から内へ突出し、つまり環状本体４８０の中心へ突出する。係合歯４６０は、連通孔４５０のボビン３００に近い側の孔壁に設けられる。４つのストッパー部４４１、４４２、４４３、４４４は、連通孔４５０のノブ５００に近い側の孔壁から環状本体４８０の中心へ径方向に沿って突出してなり、且つストッパー部４４１、４４３の位置が対応し、ストッパー部４４２、４４４の位置が対応する。
【００２３】
第１の保持部４１０及び第２の保持部４２０は、径方向に沿って変位し且つ復帰能力を有してよく、より詳しく、第１の保持部４１０が第１の自由端４１１を有し、第２の保持部４２０が第２の自由端４２１を有し、第１の自由端４１１及び第２の自由端４２１の受ける外力による圧迫がその耐えられる力よりも大きい場合、径方向に沿う移動変位が発生し、外力が解除される場合第１の自由端４１１及び第２の自由端４２１が復帰する。
【００２４】
ノブ５００は、係止部５４０、ピラー５１０、２つのバンプ５２１、５２２（図２Ｂを参照）及び螺旋状レール５３０を含む。ピラー５１０は、回り止めユニット４００へ突出する。２つのバンプ５２１、５２２は、位置が互いに対称であるように、径方向にピラー５１０に設けられる。ピラー５１０及びバンプ５２１、５２２は、組立時に連通孔４５０内に入る。回り止めユニット４００が第１の位置に位置する場合、バンプ５２１と第１の保持部４１０とが互いに当接し、バンプ５２２と第２の保持部４２０とが互いに当接する。螺旋状レール５３０は、ガイド部４３０に結合されるように、ノブ５００の内壁（未図示）に設けられる。係止部５４０も、係合部２５０に対応して凹溝状になるように、内壁に設けられる。
【００２５】
図３Ａ〜図３Ｃを参照されたい。図３Ａ〜図３Ｃは、図１による締結装置１００のひも６００の取付過程を示す模式図である。締結装置１００は、取付時に、まずボビン３００を外殻２００内に置き、及び回り止めユニット４００とノブ５００とを結合した後で、ノブ５００を外殻２００にカバーし、力を与えてノブ５００における係止部５４０と外殻２００における係合部２５０とを噛み合わせると、締結装置１００の組立を完成することができる。
【００２６】
ひも６００をボビン３００に結合しようとする時に、図３Ａに示すように、ひも６００の一端（未図示）を１つのサイドホール２２０、第２の開口３２２、第２の線結び孔３１３及び第２の通り抜き孔３１４を貫通させ、最後、ひも６００の前記端を下開口２４０から露出させてよい。図３Ｂに示すように、この場合、使用者（未図示）は、下開口２４０から露出するひも６００を１つの線結び６１０及び１つの糸口（未図示）を結び、次に、図３Ｃに示すように、第２の開口３２２の側からひも６００を引くと、線結び６１０が第２の線結び孔３１３に引かれて第２の線結び孔３１３内に位置制限され、糸口が第２の通り抜き孔３１４に残り、下開口２４０から露出しない。
【００２７】
類似的に、ひも６００の他端（つまり前記端に反対する他端）についても、別のサイドホール２２０、第１の開口３２１、第１の線結び孔３１１及び第１の通り抜き孔３１２を貫通して、下開口２４０から露出し、また使用者によって下開口２４０から露出するひも６００を別の線結び及び別の糸口（未図示）となるように結び、最後、この別の線結びが第１の線結び孔３１１内に位置制限され、この別の糸口が第１の通り抜き孔３１２に残る。
【００２８】
図４Ａ及び図４Ｂに加え、図２Ａ及び図２Ｂを共に参照されたい。図４Ａは、図１による締結装置１００の切断線４−４に沿う断面模式図である。図４Ｂは、図１による締結装置１００の切断線４−４に沿う別の断面模式図である。
【００２９】
図４Ａに示すように、ガイド部４３０（図２Ｂを参照）は、螺旋状レール５３０（図２Ａを参照）内で位置制限されて移動されることができ、つまり、ノブ５００が回り止めユニット４００に対して回転する場合、ガイド部４３０が螺旋状レール５３０に沿って回転するので、回り止めユニット４００はノブ５００に対して上がり又は下がる。図３Ａに示すように、回り止めユニット４００が第１の位置にあり、この時にラチェットアーム４７０（図２Ｂを参照）とサイドリング歯２３０（図２Ｂを参照）が対応し、且つ係合歯４６０（図２Ａを参照）が噛合歯３３０（図２Ｂを参照）に噛合い、ラチェットアーム４７０の構造関係によって、引き締め方向Ａ２（図２Ｂを参照）でサイドリング歯２３０と絶え間なく係脱し係脱方向Ａ１（図２Ｂを参照）でサイドリング歯２３０に噛合うため、引き締め方向Ａ２へノブ５００を回転させて回り止めユニット４００がボビン３００を連動するように連動して、ひも６００が巻き取り、且つノブ５００の回転が中止する場合、ラチェットアーム４７０とサイドリング歯２３０が噛合ってボビン３００の係脱方向Ａ１への回転を制限して、締結作用を達成する。
【００３０】
図４Ｂに示すように、ノブ５００が係脱方向Ａ１へ回転しガイド部４３０を移動させるように連動して回り止めユニット４００が第２の位置に位置する場合、ラチェットアーム４７０がサイドリング歯２３０から脱離し、この時にラチェットアーム４７０がサイドリング歯２３０に噛合わないため、ボビン３００の係脱方向Ａ１への回転を制限しなく、ひも６００を直接引くことで緩み効果を達成する。本実施例において、回り止めユニット４００が第２の位置にある時に係合歯４６０は噛合歯３３０から脱離して回り止めユニット４００とボビン３００とを結合させないが、他の実施例において、係合歯４６０と噛合歯３３０は脱離しなくてもよく、ラチェットアーム４７０とサイドリング歯２３０だけが脱離すればよく、又はラチェットアーム４７０とサイドリング歯２３０は脱離しなくてもよく、係合歯４６０と噛合歯３３０だけが脱離すればよいが、これに限定されない。
【００３１】
図５Ａ及び図５Ｂを参照されたい。図５Ａは、図１による締結装置１００の切断線５−５に沿う断面模式図である。図５Ｂは、図１による締結装置１００の切断線５−５に沿う別の断面模式図である。
【００３２】
図５Ａに示すように、この時に、回り止めユニット４００が第１の位置にある時に、バンプ５２１と第１の保持部４１０及びストッパー部４４１は互いに当接し、バンプ５２２と第２の保持部４２０及びストッパー部４４３は互いに当接するため、ノブ５００（図２Ａを参照）と回り止めユニット４００とを係合させ、従って、回り止めユニット４００が引き締め方向Ａ２へ回転する場合、バンプ５２１がストッパー部４４１に、バンプ５２２がストッパー部４４３に力を与えて、回り止めユニット４００回転を連動する。逆に、ノブ５００の回転が中止する場合、第１の保持部４１０及び第２の保持部４２０の構造配置がバンプ５２１、バンプ５２２に当接されてノブ５００と回り止めユニット４００との相対位置関係を固定するため、ノブ５００と回り止めユニット４００の位置が外力（使用者に与えられた力ではなく、使用時の環境中の震動による外力を指す。）要因のために任意に移動されてひも６００の係脱を引き起こすことを避ける。
【００３３】
ノブ５００が係脱方向Ａ１へ回転する場合、ラチェットアーム４７０とサイドリング歯２３０が噛合うため、回り止めユニット４００が回転できなく、従って、バンプ５２１が力を受けて第１の保持部４１０の第１の自由端４１１を絶え間なく押し付け、バンプ５２２が力を受けて第２の保持部４２０第２の自由端４２１を絶え間なく押し付けて、第１の自由端４１１及び第２の自由端４２１が圧力に耐えられなく径方向へ移動し変位することとなり、図５Ｂに示すように、この時にノブ５００が回り止めユニット４００に対して回転できて、バンプ５２１がストッパー部４４４と当接され及びバンプ５２２がストッパー部４４２と当接され、第１の自由端４１１及び第２の自由端４２１が外力の失いにより復帰する。従って、ノブ５００が回り止めユニット４００に対して回転する場合、ガイド部４３０が螺旋状レール５３０の間に移動し、回り止めユニット４００を第１の位置から第２の位置へ切り替えるように連動させる。
【００３４】
なお、ノブ５００を再び引き締め方向Ａ２へ回転させる場合、この時にバンプ５２１がまず第１の自由端４１１に接触し第１の自由端４１１に力を与え、バンプ５２２がまず第２の自由端４２１に接触し第２の自由端４２１に力を与え、この時の回り止めユニット４００が第１の位置と第２の位置との間に下がるため、ラチェットアーム４７０が既にサイドリング歯２３０と対応し、ラチェットアーム４７０とサイドリング歯２３０との間が、引き締め方向Ａ２上で互いに脱離するが、ラチェットアーム４７０がまず径方向に沿って移動し変位する必要がある。従って、構造配置で第１の自由端４１１及び第２の自由端４２１を径方向に沿って変位して回り止めユニット４００を第１の位置に切り替える。
【００３５】
他の実施例において、第１の保持部４１０及び第２の保持部４２０の構造は、他の形態であってもよく、且つ保持部がノブに結合されることに加え、ベースに結合されてもよく、自由に上がり又は下がらないようにするために、かなりの外力で回り止めユニットとノブとの相対位置を維持することができればよく、保持部及び係合部の数も上記の開示内容に限定されない。
【００３６】
図６Ａ及び図６Ｂを参照されたい。図６Ａは、図１による締結装置１００の切断線６−６に沿う断面模式図である。図６Ｂは、図１による締結装置１００の切断線６−６に沿う別の断面模式図である。図６Ａに示すように、ノブ５００が引き締め方向Ａ２へ回転する場合、ラチェットアーム４７０は絶え間なくサイドリング歯２３０から脱離し、この時に阻止部４９０からの影響を受けなく、逆に、図６Ｂに示すように、ひも６００が締め付けられると係脱方向Ａ１への張力が生じ、この時にラチェットアーム４７０の構造関係によってサイドリング歯２３０に噛合い、同時に当接部４７３が阻止部４９０に当接され、張力が大きすぎる時に、阻止部４９０はラチェットアーム４７０の過度の曲がりを避け、更にラチェットアーム４７０の破壊を防止する効果を達成できる。
【００３７】
図７、図８Ａ及び図８Ｂを参照されたい。図７は、本発明の別の実施形態による締結装置１００ａを示す斜視模式図である。図８Ａは、図７による締結装置１００ａのある視角を示す分解模式図である。図８Ｂは、図７による締結装置１００ａの別の視角を示す分解模式図である。
【００３８】
締結装置１００ａは、ひも（未図示）を締緩することに用いられ、且つ外殻２００ａ、ボビン３００ａ、ノブ５００ａ及び回り止めユニット４００ａからなる。外殻２００ａ、ボビン３００ａ、ノブ５００ａ及び回り止めユニット４００ａの構造及び位置動作関係は、おおよそ図１〜図６Ｂに記載の外殻２００、ボビン３００、ノブ５００及び回り止めユニット４００と類似であるが、ボビン３００ａの第１の開口３２１ａ、第２の開口３２２ａ、第１の線結び孔３１１ａ、第１の通り抜き孔３１２ａ、第２の線結び孔３１３ａ及び第２の通り抜き孔３１４ａの位置関係と第１の開口３２１、及び第２の開口３２２、第１の線結び孔３１１、第１の通り抜き孔３１２、第２の線結び孔３１３及び第２の通り抜き孔３１４との配列形態ことに、異なっている。より詳しくは、本実施例におけるひもは、ボビン３００ａに結合される時に、夾角６０度となるように結合されるが、図１に示す実施例では、夾角１８０度となるように結合される。
【００３９】
なお、本実施例において、外殻２００ａは、ケース２６０ａに加え、ベース２７０ａを更に含み、ひもが図３Ａ〜図３Ｂの組立形態のようにボビン３００ａに結合されてから、ベース２７０ａとケース２６０ａとを結合させ、更に保護作用を達成することができる。
【００４０】
上記の実施形態から分かるように、本発明は以下のメリットがある。
【００４１】
一、回り止めユニットにおける阻止部及びラチェットアームの構造配置によって、ラチェットアームが過度に力を受けて破壊されることを避け、締結能力を向上させることに加え、更に締結装置を長寿命化させることができる。
【００４２】
二、ケース下開口及びボビンの構造配置によって、締結装置が取り付けられた後ひもをボビンに結合させるようにし、製造をより簡単にすることに加え、更に使用者がひもを対象物に貫通させてから締結装置に結合させることを可能にし、使用の利便性を向上させる。
【００４３】
三、ガイド部及び螺旋状レールの設置と結合によって、回り止めユニットがノブの回転に伴い位置を変え、更に引き締め又は緩み状態を切り替えるようにすることができる。
【００４４】
四、第１の保持部、第２の保持部の設置によって、回り止めユニットが第１の位置又は第２の位置にある時にそのノブとの間の相対位置関係を維持し、環境外力によるひも係脱を避けることができる。
【００４５】
本発明の実施形態を前記の通りに開示したが、これは、本発明を限定するものではなく、当業者であれば、本発明の精神と範囲から逸脱しない限り、多様の変更や修飾を加えてもよく、従って、本発明の保護範囲は、後の特許請求の範囲で指定した内容を基準とするものである。
【符号の説明】
【００４６】
１００、１００ａ  締結装置
２００、２００ａ  外殻
２１０  収納空間
２２０  サイドホール
２３０  サイドリング歯
２４０  下開口
２５０  係合部
２６０、２６０ａ、２７０ａ  ベース
３００、３００ａ  ボビン
３１０  シート部
３１１、３１１ａ  第１の線結び孔
３１２、３１２ａ  第１の通り抜き孔
３１３、３１３ａ  第２の線結び孔
３１４  第２の通り抜き孔
３１４ａ、３２０  軸心柱
３２１、３２１ａ  第１の開口
３２２、３２２ａ  第２の開口
３３０  噛合歯
４００、４００ａ  回り止めユニット
４１０  第１の保持部
４２０  第２の保持部
４２１  第２の自由端
４３０  ガイド部
４４１、４４２、４４３、４４４  ストッパー部
４５０  連通孔
４６０  係合歯
４７０  ラチェットアーム
４７１  第１端
４７２  第２端
４７３  当接部
４８０  環状本体
４９０  阻止部
５００  ノブ
５００ａ  ノブ
５１０  ピラー
５２１、５２２  バンプ
５３０  螺旋状レール
５４０  係止部
６００  ひも
６１０  線結び
【国際調査報告】
2019523042.tif 000018
2019523042.tif 000019
2019523042.tif 000020
2019523042.tif 000021